(57)【特許請求の範囲】
【請求項１】
氷塊(S)を貯留する貯氷室(11)と、上下方向に延在する回転軸(48)の外周面に螺旋羽根(49)が設けられ、前記貯氷室(11)内の氷塊(S)を上方または下方へ搬送する氷搬送手段(40)と、前記貯氷室(11)の内部に配設されて該貯氷室(11)に貯留した氷塊(S)を攪拌する氷攪拌手段(30)とを備えたアイスディスペンサにおいて、
前記貯氷室(11)および前記氷搬送装置(40)の各々の上方および下方から外れた位置に設けられ、前記氷搬送手段(40)または氷攪拌手段(30)と連係する駆動手段(61)と、
前記氷搬送手段(40)および氷攪拌手段(30)を連係する連係手段(50)とを備えた
ことを特徴とするアイスディスペンサ。
【請求項２】
前記氷攪拌手段(30)および氷搬送手段(40)は、前記貯氷室(11)の取付位置に対して上方から取り付けられると共に、上方へ引き上げることで該取付位置から取り外されるよう構成され、
前記氷攪拌手段(30)および氷搬送手段(40)を前記取付位置に取り付けることで、該氷攪拌手段(30)および氷搬送手段(40)が前記連係手段(50)を介して連係され、前記氷攪拌手段(30)または氷搬送手段(40)を当該取付位置から上方へ引き上げることで、該氷攪拌手段(30)および氷搬送手段(40)の連係が解除される請求項１記載のアイスディスペンサ。
【請求項３】
前記氷攪拌手段(30)は、前記貯氷室(11)内を貯氷部(11A)および機構配設部(11B)に仕切り、回転軸(35)を中心として回転する支持壁部(31)と、前記貯氷部(11A)に貯留された氷塊(S)を攪拌する攪拌部(32)とを備え、
前記連係手段(50)は、
前記氷攪拌手段(30)における前記支持壁部(31)の前記機構配設部(11B)側に設けられて前記回転軸(35)を中心に回転し、前記支持壁部(31)の回転半径より小径に形成された第１ギア(66)と、
前記氷搬送手段(40)に設けられて前記回転軸(48)を中心に回転し、前記氷攪拌手段(30)および該氷搬送手段(40)を取付位置に取り付けた状態で、前記支持壁部(31)の回転領域により外方に位置する第２ギア(64)と、
前記貯氷室(11)の底部に回転可能に配設され、前記氷攪拌手段(30)および該氷搬送手段(40)を取付位置に取り付けた状態で前記第１ギア(66)および第２ギア(64)と噛合するアイドルギア(65)とを備え、
前記第１ギア(64)およびアイドルギア(65)は、前記取付位置への前記氷搬送手段(40)の着脱方向で離脱可能に構成され、前記第２ギア(66)およびアイドルギア(65)は、前記取付位置への前記氷攪拌手段(30)の着脱方向で離脱可能に構成される請求項２記載のアイスディスペンサ。
【請求項４】
氷塊(S)を貯留する貯氷室(11)と、回転軸(48)の外周面に螺旋羽根(49)が設けられ、前記貯氷室(11)内の氷塊(S)を搬送する氷搬送手段(40)と、前記貯氷室(11)の内部に配設されて該貯氷室(11)に貯留した氷塊(S)を攪拌する氷攪拌手段(30)とを備えたアイスディスペンサにおいて、
前記氷搬送手段(40)または氷攪拌手段(30)と連係する駆動手段(61)と、
前記氷搬送手段(40)および氷攪拌手段(30)を連係する連係手段(50)とを備え、
前記氷攪拌手段(30)および氷搬送手段(40)は、前記貯氷室(11)の取付位置に対して着脱可能に構成され、
前記氷攪拌手段(30)および氷搬送手段(40)を前記取付位置に取り付けることで、該氷攪拌手段(30)および氷搬送手段(40)が前記連係手段(50)を介して連係され、前記氷攪拌手段(30)または氷搬送手段(40)を当該取付位置から取り外すことで、該氷攪拌手段(30)および氷搬送手段(40)の連係が解除されるよう構成した
ことを特徴とするアイスディスペンサ。
【請求項５】
前記氷攪拌手段(30)は、前記貯氷室(11)内を貯氷部(11A)および機構配設部(11B)に仕切り、回転軸(35)を中心として回転する支持壁部(31)と、前記貯氷部(11A)に貯留された氷塊(S)を攪拌する攪拌部(32)とを備え、
前記連係手段(50)は、
前記氷攪拌手段(30)における前記支持壁部(31)の前記機構配設部(11B)側に設けられて前記回転軸(35)を中心に回転し、前記支持壁部(31)の回転半径より小径に形成された第１ギア(66)と、
前記氷搬送手段(40)に設けられて前記回転軸(48)を中心に回転し、前記氷攪拌手段(30)および該氷搬送手段(40)を取付位置に取り付けた状態で、前記支持壁部(31)の回転領域により外方に位置する第２ギア(64)と、
前記貯氷室(11)に回転可能に配設され、前記氷攪拌手段(30)および該氷搬送手段(40)を取付位置に取り付けた状態で前記第１ギア(66)および第２ギア(64)と噛合するアイドルギア(65)とを備え、
前記第１ギア(64)およびアイドルギア(65)は、前記取付位置への前記氷搬送手段(40)の着脱方向で離脱可能に構成され、前記第２ギア(66)およびアイドルギア(65)は、前記取付位置への前記氷攪拌手段(30)の着脱方向で離脱可能に構成される請求項４記載のアイスディスペンサ。
【発明の詳細な説明】
【技術分野】
【０００１】
この発明は、氷塊を貯留する貯氷室と、回転軸の外周面に螺旋羽根が設けられ、前記貯氷室内の氷塊を搬送する氷搬送手段と、前記貯氷室の内部に配設されて該貯氷室に貯留した氷塊を攪拌する氷攪拌手段とを備えたアイスディスペンサに関するものである。
【背景技術】
【０００２】
製氷機構で生成された氷塊を貯留する貯氷室と、前記貯氷室内に貯留された氷塊が相互に氷結するのを防止する氷攪拌手段と、前記貯氷室内に貯留された氷塊を該貯氷室の外部へ搬出する氷搬送手段とを備えた貯氷庫(アイスディスペンサ)が実用化されている(特許文献１参照)。特許文献１の貯氷庫では、八角形状をなす回転部材と、前記回転部材の中心部を支持する回転シャフトと、前記回転シャフトを回転させる攪拌モータとを備えた攪拌送り手段が設けられて、該攪拌モータの駆動により回転シャフトおよび回転部材を回転させることで貯氷室内の氷塊を攪拌する。また、特許文献１の貯氷庫は、上下方向に延在するパイプ体と、前記パイプ体の内部に回転自在に配設される回転螺旋体と、前記回転螺旋体を回転させる搬出モータとを備えた氷塊搬出装置が設けられて、該搬出モータの駆動により回転螺旋体を回転させることで貯氷庫内の氷塊を該貯氷室の外部へ搬出するようになっている。
【先行技術文献】
【特許文献】
【０００３】
【特許文献１】特開２００９−３０８４６号公報
【発明の概要】
【発明が解決しようとする課題】
【０００４】
前述のように、回転部材を回転させるための攪拌モータおよび回転螺旋体を回転させるための搬出モータを備えている構成では、２基のモータを装備していることから、製造コストが嵩む問題や、メンテナンスに手間がかかる問題や、貯氷庫全体が大型になる問題等を内在している。また、攪拌モータが貯氷室の上方に配設されていると共に搬出モータが氷塊搬送装置の上方に配設されているので、攪拌モータにオイル漏れが発生した場合には漏れた該オイルが貯氷室内へ侵入するおそれがあり、搬出モータにオイル漏れが発生した場合には漏れた該オイルが氷塊搬出装置内へ侵入するおそれがある。
【０００５】
本発明は、従来のアイスディスペンサに内在する前記問題に鑑み、これを好適に解決するべく提案されたものであって、製造コストを抑え、メンテナンス作業を簡易にすると共に小型化を図ったアイスディスペンサを提供することを目的とする。
【課題を解決するための手段】
【０００６】
前記課題を克服し、所期の目的を達成するため、本願の請求項１に係る発明は、
氷塊を貯留する貯氷室と、上下方向に延在する回転軸の外周面に螺旋羽根が設けられ、前記貯氷室内の氷塊を上方または下方へ搬送する氷搬送手段と、前記貯氷室の内部に配設されて該貯氷室に貯留した氷塊を攪拌する氷攪拌手段とを備えたアイスディスペンサにおいて、
前記貯氷室および前記氷搬送装置の各々の上方および下方から外れた位置に設けられ、前記氷搬送手段または氷攪拌手段と連係する駆動手段と、
前記氷搬送手段および氷攪拌手段を連係する連係手段とを備えたことを特徴とする。
【０００７】
従って、請求項１に係る発明によれば、氷搬送手段および氷攪拌手段の両方を１基の駆動手段で作動するよう構成したので、氷搬送手段および氷攪拌手段を２基の駆動モータで個別に作動させる構成と比較して製造コストを抑えることができる。そして、１基分の駆動手段の配設スペースを確保すればよいので、アイスディスペンサのサイズをコンパクトにして小型化を図り得る。また、駆動手段に係るメンテナンス作業の簡易化およびメンテナンス費用の削減も図り得る。更に、駆動手段から漏れたオイルが氷搬送手段内や貯氷室内へ侵入することがなく、駆動手段の不具合により貯氷室の洗浄作業を行なう必要がない。更にまた、氷搬送手段や貯氷室から漏れた水が駆動手段に滴下することがなく、該水により駆動手段が故障する不都合も防止し得る。
【０００８】
請求項２に係る発明は、
前記氷攪拌手段および氷搬送手段は、前記貯氷室の取付位置に対して上方から取り付けられると共に、上方へ引き上げることで該取付位置から取り外されるよう構成され、
前記氷攪拌手段および氷搬送手段を前記取付位置に取り付けることで、該氷攪拌手段および氷搬送手段が前記連係手段を介して連係され、前記氷攪拌手段または氷搬送手段を当該取付位置から上方へ引き上げることで、該氷攪拌手段および氷搬送手段の連係が解除されることを要旨とする。
従って、請求項２に係る発明によれば、氷攪拌手段および氷搬送手段を貯氷室の取付位置に取り付けることで、連係手段を介して該氷攪拌手段および氷搬送手段が連係されるので、組立て作業の簡易化を図り得る。また、氷攪拌手段または氷搬送手段を貯氷庫の取付位置から取り外すことで、該氷攪拌手段および氷搬送手段の連係が解除されるので、氷攪拌手段および氷搬送手段のメンテナンス作業の簡易化を図り得る。
【０００９】
請求項３に係る発明は、
前記氷攪拌手段は、前記貯氷室内を貯氷部および機構配設部に仕切り、回転軸を中心として回転する支持壁部と、前記貯氷部に貯留された氷塊を攪拌する攪拌部とを備え、
前記連係手段は、
前記氷攪拌手段における前記支持壁部の前記機構配設部側に設けられて前記回転軸を中心に回転し、前記支持壁部の回転半径より小径に形成された第１ギアと、
前記氷搬送手段に設けられて前記回転軸を中心に回転し、前記氷攪拌手段および該氷搬送手段を取付位置に取り付けた状態で、前記支持壁部の回転領域により外方に位置する第２ギアと、
前記貯氷室の底部に回転可能に配設され、前記氷攪拌手段および該氷搬送手段を取付位置に取り付けた状態で前記第１ギアおよび第２ギアと噛合するアイドルギアとを備え、
前記第１ギアおよびアイドルギアは、前記取付位置への前記氷搬送手段の着脱方向で離脱可能に構成され、前記第２ギアおよびアイドルギアは、前記取付位置への前記氷攪拌手段の着脱方向で離脱可能に構成されることを要旨とする。
従って、請求項３に係る発明によれば、氷搬送手段に設けた第２ギアが、氷攪拌手段の支持壁部の回転領域より外方に位置して氷攪拌手段の下方へ突出していないから、氷攪拌手段が貯氷室の取付位置に取り付けられている状態で、氷搬送手段を貯氷室の取付位置に対して着脱することができる。また、氷攪拌手段に設けた第１ギアが、支持壁部の回転半径より小径に形成されて氷搬送手段の下方へ突出していないから、氷搬送手段が貯氷室の取付位置に取り付けられている状態で、氷攪拌手段を貯氷室の取付位置に対して着脱することができる。
【００１０】
同じく、前記課題を克服し、所期の目的を達成するため、本願の請求項４に係る発明は、
氷塊を貯留する貯氷室と、回転軸の外周面に螺旋羽根が設けられ、前記貯氷室内の氷塊を搬送する氷搬送手段と、前記貯氷室の内部に配設されて該貯氷室に貯留した氷塊を攪拌する氷攪拌手段とを備えたアイスディスペンサにおいて、
前記氷搬送手段または氷攪拌手段と連係する駆動手段と、
前記氷搬送手段および氷攪拌手段を連係する連係手段とを備え、
前記氷攪拌手段および氷搬送手段は、前記貯氷室の取付位置に対して着脱可能に構成され、
前記氷攪拌手段および氷搬送手段を前記取付位置に取り付けることで、該氷攪拌手段および氷搬送手段が前記連係手段を介して連係され、前記氷攪拌手段または氷搬送手段を当該取付位置から取り外すことで、該氷攪拌手段および氷搬送手段の連係が解除されるよう構成したことを特徴とする。
【００１１】
従って、請求項４に係る発明によれば、氷搬送手段および氷攪拌手段の両方を１基の駆動手段で作動するよう構成したので、氷搬送手段および氷攪拌手段を２基の駆動モータで個別に作動させる構成と比較して製造コストを抑えることができる。そして、１基分の駆動手段の配設スペースを確保すればよいので、アイスディスペンサのサイズをコンパクトにして小型化を図り得る。また、駆動手段に係るメンテナンス作業の簡易化およびメンテナンス費用の削減も図り得る。更に、氷攪拌手段および氷搬送手段を貯氷室の取付位置に取り付けることで、連係手段を介して該氷攪拌手段および氷搬送手段が連係されるので、組立て作業の簡易化を図り得る。更にまた、氷攪拌手段または氷搬送手段を貯氷庫の取付位置から取り外すことで、該氷攪拌手段および氷搬送手段の連係が解除されるので、氷攪拌手段および氷搬送手段のメンテナンス作業の簡易化を図り得る。
【００１２】
請求項５に記載の発明は、
前記氷攪拌手段は、前記貯氷室内を貯氷部および機構配設部に仕切り、回転軸を中心として回転する支持壁部と、前記貯氷部に貯留された氷塊を攪拌する攪拌部とを備え、
前記連係手段は、
前記氷攪拌手段における前記支持壁部の前記機構配設部側に設けられて前記回転軸を中心に回転し、前記支持壁部の回転半径より小径に形成された第１ギアと、
前記氷搬送手段に設けられて前記回転軸を中心に回転し、前記氷攪拌手段および該氷搬送手段を取付位置に取り付けた状態で、前記支持壁部の回転領域により外方に位置する第２ギアと、
前記貯氷室に回転可能に配設され、前記氷攪拌手段および該氷搬送手段を取付位置に取り付けた状態で前記第１ギアおよび第２ギアと噛合するアイドルギアとを備え、
前記第１ギアおよびアイドルギアは、前記取付位置への前記氷搬送手段の着脱方向で離脱可能に構成され、前記第２ギアおよびアイドルギアは、前記取付位置への前記氷攪拌手段の着脱方向で離脱可能に構成されることを要旨とする。
従って、請求項５に係る発明によれば、氷搬送手段に設けた第２ギアが、氷攪拌手段の支持壁部の回転領域より外方に位置して氷攪拌手段へ突出していないから、氷攪拌手段が貯氷室の取付位置に取り付けられている状態で、氷搬送手段を貯氷室の取付位置に対して着脱することができる。また、氷攪拌手段に設けた第１ギアが、支持壁部の回転半径より小径に形成されて氷搬送手段へ突出していないから、氷搬送手段が貯氷室の取付位置に取り付けられている状態で、氷攪拌手段を貯氷室の取付位置に対して着脱することができる。
【発明の効果】
【００１３】
本発明に係るアイスディスペンサによれば、製造コストが抑えられ、メンテナンス作業が簡易になると共に小型化が図られる。
【図面の簡単な説明】
【００１４】
【図１】実施例のアイスディスペンサを、破断して示す斜視図である。
【図２】貯氷室と、貯氷室に配設した氷攪拌部材および氷搬送装置と、氷攪拌部材および氷搬送装置を連係する連係手段とを示す部分斜視図である。
【図３】貯氷室を一部破断して示す平断面図である。
【図４】実施例のアイスディスペンサの構成を概略的に示す説明断面図である。
【図５】貯氷室に氷搬送装置を配設した状態で、氷攪拌部材が該貯氷室に対し着脱可能なことを示す説明図である。
【図６】貯氷室に氷攪拌部材を配設した状態で、氷搬送装置が該貯氷室に対し着脱可能なことを示す説明図である。
【図７】変更例のアイスディスペンサの構成を概略的に示す説明断面図である。
【発明を実施するための形態】
【００１５】
次に、本発明に係るアイスディスペンサにつき、好適な実施例を挙げて、添付図面を参照しながら以下に説明する。なお、実施例では、アイスディスペンサを水平に設置した状態において上下方向を該アイスディスペンサの上下方向として説明する。
【実施例】
【００１６】
実施例のアイスディスペンサＳＴは、図１に示すように、庫本体Ｂ内に配設されて所定量の氷塊Ｓを貯留し得る貯氷庫１０と、貯氷庫１０から庫本体Ｂの上面に配設された氷放出部Ｒに亘って立設した状態で配設された氷搬送装置(氷搬送手段)４０とを備えている。また、貯氷庫１０の内部に画成された貯氷室１１の底部には、図２および図４に示すように、該貯氷室１１内に貯留された氷塊Ｓが相互に氷結するのを防止する氷攪拌部材(氷攪拌手段)３０が配設されている。また、実施例のアイスディスペンサＳＴは、貯氷庫１０の内部上方に製氷機構(図示省略)を備えており、該製氷機構で成形された氷塊(角氷)Ｓを貯氷庫１０の貯氷室１１内で貯留するよう構成されている。
【００１７】
貯氷庫１０は、図２および図３に示すように、有底円筒形状に形成される本体部材１２および該本体部材１２に上方から覆蓋される蓋部材１３とで形成される前記貯氷室１１と、前記貯氷室１１の外側を全体的に被覆する断熱材１４とを備えている。貯氷室１１の底部は、その外縁部が高くなった段差状に形成され、前記氷攪拌部材３０を配設するための第１配設部１５が円形状に設けられている。また、貯氷室１１における縦壁部の一部が外方へ膨出した状態に形成され、前記氷搬送装置４０を配設するための第２配設部１６が、上下方向に延在して設けられている。なお、第１配設部１５の中央には、氷攪拌部材３０を支持するボス状の支持部１７が設けられている。更に、第１配設部１５と第２配設部との境界部には、アイドルギア６５を支持する支持軸１８が、垂直に立設されている。更にまた、第２配設部１６には、氷搬送装置４０の下端部に整合して該氷搬送装置４０を支持する支持部材１９が配設されている。
【００１８】
氷攪拌部材３０は、図２〜図５に示すように、円盤状で中央部が上方へ突出する傘状に形成された成形部材である。この氷攪拌部材３０は、傘状に形成された円盤部(支持壁部)３１と、円盤部３１の上面から突出して該円盤部３１の中央部から外周部まで延在するよう形成された複数の攪拌部３２と、円盤部３１の中央部から下方へ延出した支持ボス３３と、支持ボス３３の外周面から円盤部３１の裏面に亘って放射状に形成された複数の補強リブ３４とが一体的に形成されている。そして、前記支持ボス３３の下端には、貯氷室１１の底部に設けた前記支持部１７に上方から回転可能に突入する回転支軸(回転軸)３５が設けられている。このような氷攪拌部材３０は、水平の姿勢で前記回転支軸３５を前記支持部１７に上方から突入させることで、円盤部３１の外周縁と貯氷室１１の底部１２Ａにおける段部１２Ｂとの間に、支持部１７と回転支軸３５とのクリアランスにより氷攪拌部材３０が傾いても円盤部３１の外周縁が段部１２Ｂと接触しない程度間隔を画成した状態で回転自在に配設される。そして氷攪拌部材３０は、第１配設部１５に配設された状態で、円盤部３１により貯氷室１１内を上方の貯氷部１１Ａと下方の機構配設部１１Ｂとに仕切り、該円盤部３１が実質的に貯氷室１１の底部を構成して氷塊Ｓを受け止めるようになっている。
【００１９】
前記氷攪拌部材３０における円盤部３１の下部には、下方へ突出した取付ボス３６が、回転支軸３５を中心とした円周上に所要間隔毎に設けられている。そして、前記氷攪拌部材３０の下側には、リング型の従動ギア(第１ギア)６６が前記各取付ボス３６に取り付けられている。この従動ギア６６は、図２〜図４に示すように、その外径(歯先直径)が氷攪拌部材３０の円盤部３１の直径より小さく設定されており、前記回転支軸３５を中心とした状態で氷攪拌部材３０に取り付けられている。すなわち従動ギア６６は、円盤部３１の回転半径より小径に形成されて、円盤部３１の外周縁から径方向外方へ延出していないので、円盤部３１と段部１２Ｂとの間から落下した水や氷片が該従動ギア６６の歯面に付着することが防止されるようになっている。そして従動ギア６６は、前記回転支軸３５に回転自在に取り付けたアイドルギア６５と噛合して、前記氷放出部Ｒに設けた駆動モータ(駆動手段)６１により回転支軸３５を中心として水平に回転するようになっている。
【００２０】
氷搬送装置４０は、図１〜図４に示すように、長尺で円筒状に形成されて上下方向に延在する搬送筒体４１と、該搬送筒体４１内に回転自在に配設された氷搬送体４２とを備えている。搬送筒体４１は、その下部の外周面に、貯氷室１１内に開口する矩形状の氷取込口４３が形成されると共に、その上部の外周面に、該貯氷室１１の外部に開口する矩形状の氷排出口４４が形成されている。また、搬送筒体４１の上端部には上支持体４５が設けられると共に、該搬送筒体４１の下端部には下支持体４６が設けられている。前記搬送筒体４１は、図６に示すように、貯氷庫１０の貯氷室１１に形成した前記第２配設部１６へ上方から差し込み、氷取込口４３が貯氷室１１を指向する向きで該搬送筒体４１の下端部を前記支持部材１９に整合させ、更に図示省略した固定手段により貯氷庫１０に固定される。
【００２１】
前記氷搬送体４２は、図２および図４に示すように、搬送筒体４１の軸方向に延在する回転軸４８と、前記回転軸４８の外周面に外方へ突出して該回転軸４８の軸方向へ所定ピッチで巻装された螺旋羽根４９とを備え、所定方向へ回転することで、氷取込口４３から搬送筒体４１内へ取り込んだ氷塊Ｓを氷排出口４４に向けて搬送するよう構成されている。前記回転軸４８は、搬送筒体４１の上支持体４５および下支持体４６に夫々挿通支持され、上支持体４５から上方へ延出すると共に下支持体４６から下方へ延出する長さで中空に形成されている。
【００２２】
回転軸４８の上支持体４５から上方へ延出した上端部に第１中間ギア６３が配設され、該回転軸４８の下支持体４６から下方へ延出した下端部に第２中間ギア(第２ギア)６４が配設されている。第１中間ギア６３は、駆動モータ６１に設けた駆動ギア６２と噛合しており、第２中間ギア６４は、貯氷室１１の底部に配設した前記アイドルギア６５に噛合している。第２中間ギア６４は、図２および図４に示すように、その外径(歯先直径)が氷搬送装置４０の搬送筒体４１の外径より小さく設定されている。従って、第２中間ギア６４が搬送筒体４１の外周縁から径方向外方へ延出していないので、搬送筒体４１の外周縁を伝って滴下した水や氷片が該第２中間ギア６４の歯面に付着することが防止されるようになっている。
【００２３】
螺旋羽根４９は、回転軸４８の下端側から上端側へ所定のピッチで該回転軸４８の外周面に下から見て右巻きに設けられている。この螺旋羽根４９は、全長に亘って回転軸４８からの延出幅(距離)が一定になるように形成され、該回転軸４８の軸方向から見て円形となるように形成されている。なお、螺旋羽根４９の外径は、搬送筒体４１の内壁面との間に、氷塊Ｓが脱落しない程度の隙間が形成される大きさに設定されている。
【００２４】
氷放出部Ｒは、図１に示すように、庫本体Ｂの上面に立設されて前側に放出口５６を設けた外部ケース５５と、この外部ケース５５の内側に配設されたシュート部材５８とを備えている。外部ケース５５の内部上方には取付板５７が水平に設けられ、氷搬送装置４０の上端部および駆動モータ６１が該取付板５７に固定されている。シュート部材５８は、氷搬送装置４０の氷排出口４４に整合する第１開口部５８Ａと、放出口５６に整合する第２開口部５８Ｂとを備えている。従って、氷搬送装置４０の作動により、氷排出口４４から搬送筒体４１の外方へ排出された氷塊Ｓは、シュート部材５８を介して放出口５６へ案内されて該放出口５６から下方へ落下する。なお、外部ケース５５における放出口５６の下方には、氷塊Ｓを受け入れる容器を載置する載置台５９が設けられている。
【００２５】
実施例のアイスディスペンサＳＴにおける駆動機構６０は、図１〜図４に示すように、氷放出部Ｒ内に設けた駆動モータ(駆動手段)６１と、氷搬送装置４０、氷攪拌部材３０および貯氷室１１に設けた前記複数のギア６２〜６６で構成され、氷搬送装置４０の氷搬送体４２および氷攪拌部材３０を当該１基の駆動モータ６１で駆動する構成となっている。すなわち、駆動モータ６１の出力軸６１Ａに配設された駆動ギア６２は平歯車であり、氷搬送装置４０における回転軸４８の上端部に配設された平歯車の前記第１中間ギア６３と噛合している。氷搬送装置４０における回転軸４８の下端部に配設された前記第２中間ギア６４は平歯車であり、貯氷庫１０における貯氷室１１の底部１２Ａに回転自在に配設された平歯車の前記アイドルギア６５と噛合している。また、前記アイドルギア６５が、氷攪拌部材３０に配設した平歯車の前記従動ギア６６と噛合している。すなわち、実施例のアイスディスペンサＳＴは、前記第２中間ギア６４、アイドルギア６５および従動ギア６６からなる歯車列により連係手段５０を構成し、氷搬送装置４０と氷攪拌部材３０とを連係している。なお第２中間ギア６４は、図２および図３に示すように、前記氷攪拌部材３０の円盤部３１の回転領域より外方に位置している。
【００２６】
駆動モータ６１は、氷放出部Ｒ内に水平に設けた前記取付板５７に対し、前記氷搬送装置４０の側方において下方から倒立した状態で固定され、取付板５７の上方へ出力軸６１Ａが延出して、該取付板５７の上方に前記駆動ギア６２が位置している。すなわち駆動モータ６１は、氷搬送装置４０の上方から外れた位置に設けられていると共に、前記貯氷庫１０(貯氷室１１)の上方からも外れた位置に設けられている。また駆動モータ６１は、氷搬送装置４０および貯氷庫１０(貯氷室１１)の下方から外れた位置に設けられている。なお、駆動モータ６１としては、アイスディスペンサＳＴの仕様に適合する各種タイプのモータが使用可能であり、氷搬送装置４０および氷攪拌部材３０を駆動するのに充分な出力のものが採用されている。
【００２７】
従って、実施例のアイスディスペンサＳＴは、図示省略した制御装置により前記駆動モータ６１を駆動させると駆動ギア６２が上方から見て左回転し、該駆動ギア６２に噛合している第１中間ギア６３が、回転軸４８を中心として右回転する。そして、第１中間ギア６３に連動して氷搬送装置４０の氷搬送体４２が右回転することで、貯氷室１１内に貯留されている氷塊Ｓを氷取込口４３から搬送筒体４１内へ取り込むと共に、取り込んだ氷塊Ｓを氷排出口４４に向けて搬送し得る。また、氷搬送装置４０の氷搬送体４２が右回転することで、第２中間ギア６４が回転軸４８を中心として右回転し、該第２中間ギア６４に噛合しているアイドルギア６５が左回転する。従って、アイドルギア６５に噛合している従動ギア６６が回転支軸３５を中心として右回転することで氷攪拌部材３０が全体的に右回転し、該氷攪拌部材３０の前記攪拌部３２で貯氷室１１の貯氷部１１Ａに貯留されている氷塊Ｓを均しながら攪拌するようになる。
【００２８】
そして、実施例のアイスディスペンサＳＴにおける前記連係手段５０では、図２および図３に示すように、第２中間ギア６４が攪拌部材３０の円盤部３１の回転領域から外方に位置すると共に、従動ギア６６が該円盤部３１の回転半径より小径に形成されていることで、これら第１中間ギア６３および従動ギア６６の夫々に噛合する前記アイドルギア６５が、氷搬送装置４０の搬送筒体４１と氷攪拌部材３０の円盤部３１との境界部分の下側に配設されている。すなわち、アイドルギア６５の一部が氷搬送装置４０の搬送筒体４１の下方に位置し、該アイドルギア６５の一部が氷攪拌部材３０の円盤部３１の下方に位置している。すなわちアイドルギア６５は、氷搬送装置４０および氷攪拌部材３０の各々と上下の関係で重なった状態に配設されており、第２中間ギア６４が氷攪拌部材３０と上下の関係で全く重なっていないと共に、従動ギア６６が氷搬送装置４０と上下の関係で全く重なっていない。
【００２９】
また第２中間ギア６４は、垂直に配設された回転軸４８に配設されて水平に回転すると共に、アイドルギア６５は、垂直に配設された支持軸１８に支持されて水平に回転するようになっている。すなわち、平歯車である第２中間ギア６４およびアイドルギア６５の各歯は、貯氷室１１に対する氷搬送装置４０の着脱方向である上下方向に延在している。従って、第２中間ギア６４およびアイドルギア６５は、貯氷室１１の第２配設部１６に氷搬送装置４０を上方から取り付けることで噛合可能となり、貯氷室１１から氷搬送装置４０を上方へ引き上げて取り外す際には該氷搬送装置１０の着脱方向で離脱可能となっている。一方、従動ギア６６は、水平に回転する氷攪拌部材３０に配設されて水平に回転するようになっており、該従動ギア６６の各歯は、貯氷室１１に対する氷攪拌部材３０の着脱方向である上下方向に延在している。従って、アイドルギア６５および従動ギア６６は、貯氷室１１の第１配設部１６に氷攪拌部材３０の上方から取り付けることで噛合可能となり、貯氷室１１から氷攪拌部材３０を上方へ引き上げて取り外す際には該氷攪拌部材３０の着脱方向で離脱可能となっている。
【００３０】
そして、前述のように、従動ギア６６が氷搬送装置４０の下方へ突出していないから、図５に示すように、貯氷室１１の第２配設部１６に氷搬送装置４０が配設された状態で、該貯氷室１１の第１配設部１５に対する氷攪拌部材３０の着脱が可能となっている。また、前述のように、第２中間ギア６４が氷攪拌部材３０の下方へ突出していないから、図６に示すように、貯氷室１１の第１配設部１５に氷攪拌部材３０が配設された状態で、該貯氷室１１の第２配設部１６に対する氷搬送装置４０の着脱も可能となっている。
【００３１】
従って、実施例のアイスディスペンサＳＴでは、氷搬送装置４０の氷搬送体４２および氷攪拌部材３０の両方を、１基の駆動モータ６１で作動するよう構成されているので、氷搬送装置４０および氷攪拌部材３０を２基の駆動モータで個別に作動させる従来のアイスディスペンサと比べて、１基のモータが不要となることにより製造コストを抑えることができる。そして、２基分の駆動モータの配設スペースを確保する必要がないから、アイスディスペンサＳＴのサイズをコンパクトにして小型化を図り得る。また、駆動モータ６１が１基であるから、駆動機構６０に関連するメンテナンス作業が簡易となると共にメンテナンス費用の削減も図り得る。更に、駆動モータ６１を、氷搬送装置４０の上方および貯氷庫１０の上方から外れた位置に設けられているので、該駆動モータ６１から漏れたオイルが氷搬送装置４０の搬送筒体４１内または貯氷庫１０の貯氷室１１内へ侵入することが防止され、駆動モータ６１のオイル漏れによる貯氷室１１の洗浄作業が発生することがない。更に、駆動モータ６１は、氷搬送装置４０の下方および貯氷庫１０の下方から外れた位置に設けられているので、氷搬送装置４０および貯氷庫１０から流下した水が該駆動モータ６１へ滴下することも防止され、滴下した水による駆動モータ６１の故障も発生しない。
【００３２】
また、連係手段５０が、貯氷室１１に対する氷搬送装置４０および氷攪拌部材３０の着脱方向で離脱が可能な第２中間ギア６４、アイドルギア６５および従動ギア６６で構成されている。しかも、氷攪拌部材３０および氷搬送装置４０の各々と上下の関係で重なったアイドルギア６５を設けて、氷攪拌部材３０に配設した従動ギア６６を円盤部３１より小径に形成すると共に、氷搬送装置４０に配設した第２中間ギア６４を氷攪拌部材３０の外方に位置するようにした。従って、氷攪拌部材３０の従動ギア６６と氷搬送装置４０とが、貯氷室１１に対する該氷攪拌部材３０の着脱方向で交差しないので、貯氷室１１に氷搬送装置４０を配設した状態において貯氷室１１に対する氷攪拌部材３０の着脱が可能であり、該氷攪拌部材３０の着脱作業の円滑化および簡易化を図り得る。同様に、氷搬送装置４０の第２中間ギア６４と氷攪拌部材３０とが、貯氷室１１に対する該氷搬送装置４０の着脱方向で交差しないので、貯氷室１１に氷攪拌部材３０を配設した状態において貯氷室１１に対する氷搬送装置４０の着脱が可能であり、該氷搬送装置４０の着脱作業の円滑化および簡易化を図り得る。
【００３３】
(変更例)
(１)駆動モータ６１は、氷搬送装置４０および貯氷室１１の上方および下方から外れた位置であれば、その配設位置は実施例に例示した氷放出部Ｒ内に限定されるものではない。例えば、図７に示すように、貯氷庫１０の外部側方に駆動モータ６１を配設して、該駆動モータ６１の駆動ギア６２と氷攪拌部材３０の前記従動ギア６６とを連係させるようにしてもよい。
(２)連係手段５０を構成する第２中間ギア６４、アイドルギア６５および従動ギア６６は、実施例で示した平歯車に限定されるものではない。すなわち第２中間ギア６４は、貯氷室１１に対する氷搬送装置４０の着脱方向においてアイドルギア６５と離脱可能であれば平歯車以外でもよく、従動ギア６６も、貯氷室１１に対する氷攪拌部材３０の着脱方向においてアイドルギア６５と離脱可能であれば平歯車以外でもよい。
(３)氷搬送装置４０は、貯氷庫１０から下方へ垂直に配設されて、下方に設けた氷排出口４４に向けて氷塊Ｓを搬送する形態であってもよい。このような形態においても、駆動モータ６１を、氷搬送装置４０および貯氷室１１の上方および下方から外れた位置に配設することで、前記実施例と同等の作用効果が得られる。
(４)氷搬送装置４０は、実施例に例示したように貯氷庫１０に対して垂直に配設したものに限定されず、貯氷庫１０に対して所要の角度で傾斜状に配設したものや、貯氷庫１０に対して水平に延在するように配設したものであってもよい。
(５)駆動モータ６１と氷搬送装置４０とを分離させる必要がない場合には、駆動ギア６２および第１中間ギア６３は平歯車でなくてもよい。また、駆動モータ６１と氷搬送装置４０とを分離させる必要がない場合には、駆動ギア６２および第１中間ギア６３によるギア連係形態に代えて、プーリおよびベルトによるベルト連係形態や、スプロケットおよびチェンによるチェン連係形態等に変更してもよい。
【符号の説明】
【００３４】
１１ 貯氷室，１１Ａ 貯氷部，１１Ｂ 機構配設部，３０ 氷攪拌部材(氷攪拌手段)
３１ 円盤部(支持壁部)，３２ 攪拌部，４０ 氷搬送装置(氷搬送手段)，４８ 回転軸
４９ 螺旋羽根，５０ 連係手段，６１ 駆動モータ(駆動手段)
６４ 第２中間ギア(第２ギア)，６５ アイドルギア，６６ 従動ギア(第１ギア)
Ｓ 氷塊
【図１】
0005511542.tif 000002
【図２】
0005511542.tif 000003
【図３】
0005511542.tif 000004
【図４】
0005511542.tif 000005
【図５】
0005511542.tif 000006
【図６】
0005511542.tif 000007
【図７】
0005511542.tif 000008